【手続補正書】
【提出日】令和3年6月28日(2021.6.28)
【手続補正１】
【補正対象書類名】特許請求の範囲
【補正対象項目名】全文
【補正方法】変更
【補正の内容】
【特許請求の範囲】
【請求項１】
ユーザ機器(UE)によって実行されるワイヤレス通信の方法であって、
ウェイクアップ信号送信に関連付けられた開始サブフレームを決定するステップであって、
前記開始サブフレームが、
ページング機会の開始サブフレーム、
前記ウェイクアップ信号送信の最大持続時間、および
前記ページング機会と前記ウェイクアップ信号送信の前記最大持続時間の終わりとの間のギャップ
に少なくとも部分的に基づいて決定される、ステップと、
ウェイクアップ信号に関して前記開始サブフレームを含む複数のリソースを走査するステップと、
前記開始サブフレーム上で前記ウェイクアップ信号を受信するステップと、
前記UEに関連付けられたセル識別子に少なくとも部分的に基づいて、前記ウェイクアップ信号を前記UEに関連付けられたものとして識別するステップであって、
前記ウェイクアップ信号が前記セル識別子に少なくとも部分的に基づく、ステップと
を備える方法。
【請求項２】
前記複数のリソースが、同じアンテナポートが前記ウェイクアップ信号の送信に使用されるサブフレームのセットを含む、請求項1に記載の方法。
【請求項３】
前記複数のリソースが、物理ブロードキャストチャネル、1次同期信号、または2次同期信号を搬送するサブフレームを含む、請求項1に記載の方法。
【請求項４】
前記ウェイクアップ信号が、UEグループ識別子に少なくとも部分的にさらに基づく、請求項1に記載の方法。
【請求項５】
前記ウェイクアップ信号を識別したことに少なくとも部分的に基づいて、前記ページング機会の間、通信を受信するために低い電力状態からウェイクアップさせるステップと、
前記通信を受信するステップと
をさらに備える、請求項1に記載の方法。
【請求項６】
前記通信が、前記ウェイクアップ信号と前記ページング機会との間のギャップの後に受信され、
前記ギャップが、UE能力に少なくとも部分的に基づいて構成される、請求項5に記載の方法。
【請求項７】
前記UE能力を識別する情報を基地局に送信するステップをさらに備える、請求項6に記載の方法。
【請求項８】
前記UE能力が、前記UEの処理時間に関係し、
前記処理時間が、前記UEによって報告される、請求項7に記載の方法。
【請求項９】
前記ウェイクアップ信号送信の前記最大持続時間が、前記ウェイクアップ信号送信に関連付けられた反復の最大数に少なくとも部分的に基づく、請求項1に記載の方法。
【請求項１０】
前記ウェイクアップ信号の実際の持続時間が、前記ウェイクアップ信号送信の前記最大持続時間に少なくとも部分的に基づく、請求項9に記載の方法。
【請求項１１】
基地局によって実行されるワイヤレス通信の方法であって、
複数のリソース上でウェイクアップ信号を送信するステップであって、
前記複数のリソースが、前記ウェイクアップ信号の送信用の開始サブフレームを含む、ステップと、
前記ウェイクアップ信号の送信の後、ページング機会の間、ユーザ機器(UE)に通信を送信するステップであって、
前記開始サブフレームが、
前記ページング機会の開始サブフレーム、
前記ウェイクアップ信号の最大持続時間、および
前記ページング機会と前記ウェイクアップ信号の前記最大持続時間の終わりとの間のギャップ
に少なくとも部分的に基づいて決定される、ステップと
を備える方法。
【請求項１２】
前記複数のリソースが、同じアンテナポートに関連付けられたサブフレームのセットに対応する、請求項11に記載の方法。
【請求項１３】
前記複数のリソースが、第1のアンテナポートに関連付けられたサブフレームの第1のセットと、第2のアンテナポートに関連付けられたサブフレームの第2のセットとに対応する、請求項11に記載の方法。
【請求項１４】
前記ウェイクアップ信号および通信が、同じ狭帯域上で送信される、請求項1に記載の方法。
【請求項１５】
前記複数のリソースが、物理ブロードキャストチャネル、1次同期信号、または2次同期信号を搬送するサブフレームを含まない、請求項1に記載の方法。
【請求項１６】
前記ウェイクアップ信号のプリアンブルが、UEグループに少なくとも部分的に基づく、請求項1に記載の方法。
【請求項１７】
前記ウェイクアップ信号のプリアンブルが、セル識別子に少なくとも部分的に基づく、請求項1に記載の方法。
【請求項１８】
通信が、前記ウェイクアップ信号と前記通信との間のギャップの後に送信され、
前記ギャップが、UE能力に少なくとも部分的に基づいて構成される、請求項1に記載の方法。
【請求項１９】
前記UE能力が、前記UEの処理時間に関係し、
前記処理時間が、前記UEによって報告される、請求項18に記載の方法。
【請求項２０】
前記ウェイクアップ信号の前記最大持続時間が、反復の最大数に対応する、請求項1に記載の方法。
【請求項２１】
前記ウェイクアップ信号の反復の実際の持続時間が、前記最大持続時間に少なくとも部分的に基づく、請求項20に記載の方法。
【請求項２２】
ワイヤレス通信のためのユーザ機器であって、
メモリと、
前記メモリに動作可能に結合された1つまたは複数のプロセッサと
を備え、前記メモリおよび前記1つまたは複数のプロセッサが、
ウェイクアップ信号送信に関連付けられた開始サブフレームを決定することであって、
前記開始サブフレームが、
ページング機会の開始サブフレーム、
前記ウェイクアップ信号送信の最大持続時間、および
前記ページング機会と前記ウェイクアップ信号送信の前記最大持続時間の終わりとの間のギャップ
に少なくとも部分的に基づいて決定される、決定することと、
ウェイクアップ信号に関して前記開始サブフレームを含む複数のリソースを走査することと、
前記開始サブフレーム上で前記ウェイクアップ信号を受信することと、
前記UEに関連付けられたセル識別子に少なくとも部分的に基づいて、前記ウェイクアップ信号を前記UEに関連付けられたものとして識別することであって、
前記ウェイクアップ信号が前記セル識別子に少なくとも部分的に基づく、識別することと
を行うように構成される、ユーザ機器。
【請求項２３】
前記複数のリソースが、同じアンテナポートが前記ウェイクアップ信号の送信に使用されるサブフレームのセットを含む、請求項22に記載のユーザ機器。
【請求項２４】
前記複数のリソースが、物理ブロードキャストチャネル、1次同期信号、または2次同期信号を搬送するサブフレームを含む、請求項23に記載のユーザ機器。
【請求項２５】
前記ウェイクアップ信号が、UEグループ識別子に少なくとも部分的にさらに基づく、請求項24に記載のユーザ機器。
【請求項２６】
前記1つまたは複数のプロセッサが、
前記ウェイクアップ信号を識別したことに少なくとも部分的に基づいて、前記ページング機会の間、通信を受信するために低い電力状態からウェイクアップさせることと、
前記通信を受信することと
を行うように構成される、請求項25に記載のユーザ機器。
【請求項２７】
前記1つまたは複数のプロセッサが、
前記通信を、前記ウェイクアップ信号と前記ページング機会との間のギャップの後に受信すること
を行うように構成され、
前記ギャップが、UE能力に少なくとも部分的に基づいて構成される、請求項26に記載のユーザ機器。
【請求項２８】
前記1つまたは複数のプロセッサが、
前記UE能力を識別する情報を基地局に送信すること
を行うように構成される、請求項27に記載のユーザ機器。
【請求項２９】
前記UE能力が、前記UEの処理時間に関係し、
前記処理時間が、前記UEによって報告される、請求項28に記載のユーザ機器。
【請求項３０】
ワイヤレス通信のための基地局であって、
メモリと、
前記メモリに動作可能に結合された1つまたは複数のプロセッサと
を備え、前記メモリおよび前記1つまたは複数のプロセッサが、
複数のリソース上でウェイクアップ信号を送信することであって、
前記複数のリソースが、前記ウェイクアップ信号の送信用の開始サブフレームを含む、送信することと、
前記ウェイクアップ信号の送信の後、ページング機会の間、ユーザ機器(UE)に通信を送信することであって、
前記開始サブフレームが、
前記ページング機会の開始サブフレーム、
前記ウェイクアップ信号の最大持続時間、および
前記ページング機会と前記ウェイクアップ信号の前記最大持続時間の終わりとの間のギャップ
に少なくとも部分的に基づく、送信することと
を行うように構成される、基地局。
【請求項３１】
前記複数のリソースが、同じアンテナポートに関連付けられたサブフレームのセットに対応する、請求項30に記載の基地局。
【請求項３２】
前記複数のリソースが、第1のアンテナポートに関連付けられたサブフレームの第1のセットと、第2のアンテナポートに関連付けられたサブフレームの第2のセットとに対応する、請求項30に記載の基地局。
【請求項３３】
前記ウェイクアップ信号および通信が、同じ狭帯域上で送信される、請求項30に記載の基地局。
【請求項３４】
前記複数のリソースが、物理ブロードキャストチャネル、1次同期信号、または2次同期信号を搬送するサブフレームを含まない、請求項30に記載の基地局。